(57)【要約】【課題】優れたヒートシール性とイージーピール性を持ち、かつ低いシール温度でも高いシール強度が発現するシーラント用樹脂組成物を提供すること。【解決手段】メルトフローレートが１〜５０（ｇ／１０分）、密度が０．９００〜０．９４０（ｇ／ｃｍ３）であり、かつ特定のメルトテンション値を持つエチレン系重合体（Ａ）1０〜６０重量％、グラフト変性オレフィン系重合体（Ｂ）１〜６０重量％、およびメルトフローレートが０．０１〜１０（ｇ／１０分）、密度が０．８８０〜０．９２５（ｇ／ｃｍ３）のブテン系重合体（Ｃ）１０〜７０重量％から形成されるシーラント用樹脂組成物である。この組成物から得られるフィルムは、包装用フィルムのシーラント層として好適である。                            【選択図】なし【特許請求の範囲】
【請求項１】
メルトフローレート（ＭＦＲ、ＡＳＴＭ Ｄ１２３８、１９０℃、２．１６ｋｇ荷重）が１〜５０（ｇ／１０分）、密度（ＡＳＴＭ Ｄ１５０５）が０．９００〜０．９４０（ｇ／ｃｍ３）であり、かつメルトテンション（ＭＴ）とメルトフローレート（ＭＦＲ）とが次の関係式
４０×（ＭＦＲ）-0.67 ≦ ＭＴ ≦ ２５０×（ＭＦＲ）-0.67
を満たすエチレン系重合体（Ａ）１０〜６０重量％、
グラフト変性オレフィン系重合体（Ｂ）１〜６０重量％、および
メルトフローレート（ＭＦＲ、ＡＳＴＭ Ｄ１２３８、１９０℃、２．１６ｋｇ荷重）が０．０１〜１０（ｇ／１０分）、密度（ＡＳＴＭ Ｄ１５０５）が０．８８０〜０．９２５（ｇ／ｃｍ３）のブテン系重合体（Ｃ）１０〜７０重量％
から形成されるシーラント用樹脂組成物。
【請求項２】
前記エチレン系重合体が、高圧法ポリエチレンであることを特徴とする請求項１記載のシーラント用樹脂組成物。
【請求項３】
請求項１または２に記載の樹脂組成物からなり、その厚さが３〜１００μｍであるシーラントフィルム。
【請求項４】
請求項３に記載のシーラントフィルムの層と、ポリオレフィンフィルム、ポリスチレンフィルム、ポリエステルフィルム、ポリアミドフィルム、ポリオレフィンとガスバリヤー性樹脂フィルムとの積層フィルム、アルミ箔、紙、および蒸着フィルムとからなる群から選ばれる少なくとも一つのフィルム層とを含む積層体であることを特徴とする積層体フィルム。
【請求項５】
請求項３に記載のシーラントフィルムの層と、ポリオレフィンフィルム層と、ポリオレフィンフィルム、ポリスチレンフィルム、ポリエステルフィルム、ポリアミドフィルム、ポリオレフィンとガスバリヤー性樹脂フィルムとの積層フィルム、アルミ箔、紙、および蒸着フィルムとからなる群から選ばれる少なくとも一つのフィルム層とが、この順に積層されていることを特徴とする積層体フィルム。
【請求項６】
請求項４または５に記載の積層体フィルムのシーラントフィルム層面同士を合わせ、その少なくとも一部がヒートシールされていることを特徴とする容器。
【請求項７】
請求項４または５に記載の積層体フィルムのシーラントフィルム層と、ポリエチレン、エチレン・酢酸ビニル共重合体、およびポリプロピレンからなる群から選ばれる樹脂の成形体とを向かい合わせ、その少なくとも一部がヒートシールされていることを特徴とする容器。
【発明の詳細な説明】
【技術分野】
【０００１】
本発明はシーラント用樹脂組成物、ヒートシール性およびイージーピール性を兼ね備えたシーラントフィルム、さらにはそのシーラントフィルムを用いた積層体フィルムおよび容器に関する。
【背景技術】
【０００２】
近年の食の多様化に伴い、様々な包装材料が提案されている。中でも、イージーピール性を有する容器は、即席麺、ヨーグルト容器、菓子容器、その他の食品容器として広く用いられている。イージーピール性を有するシーラントフィルムには、密封性とイージーピール性という相反する性能を、同時に満足することが要求されている。さらには、食品容器の多様化によって、様々なヒートシール強度を有するシーラントフィルムの開発が所望されている。例えば、熱に弱い食品を包装する際、内容物保護のため比較的低温でヒートシールする必要がある。そのような用途に対しては、低温でのヒートシールでも強いシール強度が発現でき、しかもイージーピール性を示すようなシーラントフィルムが求められている。また、例えばポリエチレンフィルムでコートした紙カップ容器の蓋材の場合では、紙カップでの紙剥けを防止するため、比較的低いシール強度が要求される。
【０００３】
一方、内容物の汚染防止および商品の外観などの点から、シール面を剥離した時に剥離跡（糸引き）が残らないことは勿論のこと、糸引き現象そのものが発生しないよう要求されている。
【０００４】
特開平１０−３３７８２９号公報には、低密度ポリエチレンとポリブテン−１から形成される易開封性フィルムが開示されている。しかしながら、同公報によって得られるシーラントフィルムは、低温でシールした場合のシール強度が不十分であるという問題点があった。(特許文献１)
特開２００２−１４６３４３号公報には、低密度ポリエチレンとポリブテン−１からなる糸引き性の改良された易開封性フィルムが開示されている。しかしながら、同公報によって得られるシーラントフィルムでは、シール強度が強く、イージーピール性が不充分であった。(特許文献２)
特開平１１−５８６４２号公報には、低密度ポリエチレン、ポリブテン−１およびエチレン−αオレフィン共重合体ゴムからなる糸引き性の改良された易開封性フィルムが開示されている。しかしながら同公報による方法では、シール強度が高く、イージーピール性も不充分で、使用できる用途も限られている。(特許文献３)
【特許文献１】特開平１０−３３７８２９号公報
【特許文献２】特開２００２−１４６３４３号公報
【特許文献３】特開平１１−５８６４２号公報
【発明の開示】
【発明が解決しようとする課題】
【０００５】
本発明は、ヒートシール強度とイージーピール性とのバランスに優れ、特には最適シール温度が広く、糸引きの発生が無いシーラントフィルムを得ることのできるシーラント用樹脂組成物、その組成物から得られるシーラントフィルム、およびそれを用いた積層体フィルムおよび容器の提供を目的とする。
【課題を解決するための手段】
【０００６】
すなわち本発明は、メルトフローレート（ＭＦＲ、ＡＳＴＭ Ｄ１２３８、１９０℃、２．１６ｋｇ荷重）が１〜５０（ｇ／１０分）、密度（ＡＳＴＭ Ｄ１５０５）が０．９００〜０．９４０（ｇ／ｃｍ３）であり、かつメルトテンション（ＭＴ）とメルトフローレート（ＭＦＲ）とが次の関係式
４０×（ＭＦＲ）-0.67 ≦ ＭＴ ≦ ２５０×（ＭＦＲ）-0.67
を満たすエチレン系重合体（Ａ）１０〜６０重量％、
グラフト変性オレフィン系重合体（Ｂ）１〜６０重量％、および
メルトフローレート（ＭＦＲ、ＡＳＴＭ Ｄ１２３８、１９０℃、２．１６ｋｇ荷重）が０．０１〜１０（ｇ／１０分）、密度（ＡＳＴＭ Ｄ１５０５）が０．８８０〜０．９２５（ｇ／ｃｍ３）のブテン系重合体（Ｃ）１０〜７０重量％
から形成されるシーラント用樹脂組成物に関する。
【０００７】
さらに本発明は、上記本発明の樹脂組成物からなるシーラントフィルムであり、および該シーラントフィルムから形成される積層体および容器に関する。
【発明の効果】
【０００８】
本発明のシーラント用樹脂組成物は、それから得られるフィルムがヒートシール性とイージーピール性とのバランスに優れており、かつ、糸引きを発生させることなくより低いシール強度を達成できるため、食品包装用容器に好適に使用できる。
【発明を実施するための最良の形態】
【０００９】
本発明は、エチレン系重合体、グラフト変性エチレン重合体およびブテン系重合体から構成される樹脂組成物、またその組成物を用いたシーラントフィルム、積層体フィルム、および容器に関する。次にそれらの各構成について具体的に説明する。
エチレン系重合体（Ａ）
本発明の樹脂組成物におけるエチレン系重合体（Ａ）としては、ＡＳＴＭ Ｄ１２３８に準じ１９０℃、２．１６ｋｇ荷重で測定したメルトフローレート（以下ＭＦＲと略記する）が１〜５０、好ましくは３〜４０（ｇ／１０分）であり、密度（ＡＳＴＭＤ１５０５）が０．９００〜０．９４０、好ましくは０．９００〜０．９３０（ｇ／ｃｍ３）であり、かつメルトテンション（ＭＴ）とメルトフローレート（ＭＦＲ）とが次の関係式
４０×（ＭＦＲ）-0.67 ≦ ＭＴ ≦ ２５０×（ＭＦＲ）-0.67
を満たすエチレン系重合体（Ａ）を満たしている。ここで、ＭＴおよびＭＦＲは、いずれも１９０℃で測定した値である。メルトテンション（ＭＴ）は、溶融させたエチレン系重合体を一定速度で延伸したときの応力を測定することによって求められる値である。具体的には、東洋精機製ＭＴ測定機を用い、樹脂温度１９０℃、押出速度１５ｍｍ／分、巻取速度１５ｍ／分、ノズル径２．０９ｍｍφ、ノズル長さ８ｍｍの条件で測定した値である。
【００１０】
ＭＦＲが上記範囲にあり、ＭＴが上記関係式の範囲内にあることで、エチレン系重合体の溶融張力を高め、成形性が良好となる。
【００１１】
本発明の組成物に使用されるエチレン系重合体（Ａ）は、前記の物性を満たしている限り、ラジカル触媒を用いて高圧下で製造されたいわゆる高圧法ポリエチレンであっても、あるいはチーグラー触媒またはメタロセン触媒を用い、エチレンとα−オレフィン等のコモノマーの存在下、中低圧下で製造されたいわゆる中低圧ポリエチレンであってもよい。高圧法ポリエチレンでは、分子鎖中に長鎖分岐が存在し、これにより高い溶融張力を示すことから、本発明においては好ましく使用できる。
【００１２】
また、本発明の組成物に使用されるエチレン系重合体（Ａ）は、本発明におけるシーラントフィルムとしての特性を損なわない限り、エチレンと少量の酢酸ビニル等の不飽和カルボン酸との共重合体であっても良い。
グラフト変性オレフィン系重合体（Ｂ）
本発明の樹脂組成物における（Ｂ）成分として使用されるグラフト変性オレフィン共重合体は、オレフィン系重合体（Ｂ−１）を極性基を有するビニル化合物によってグラフト変性した変性体である。オレフィン系重合体（Ｂ−１）としては、プロピレン系（共）重合体、ブテン系（共）重合体やエチレン系（共）重合体を挙げることができる。これらの中で、エチレンと炭素数３〜２０、好ましくは３〜１０までのα―オレフィンとを共重合することによって得られるランダム共重合体が好ましい。その分子構造は、直鎖状であってもよいし、長鎖または短鎖の側鎖を有する分岐状であってもよい。α―オレフィンの具体例としては、プロピレン、１−ブテン、１−ペンテン、１−ヘキセン、４−メチル−１−ペンテン、１−オクテン、１−デセン、１−ドデセンが挙げられ、好ましくは１−ブテン、１−ヘキセン、１−オクテンである。共重合体中のα−オレフィン含量としては、５〜５０モル％、通常７〜３０モル％である。
【００１３】
オレフィン系重合体（Ｂ−１）のＭＦＲ（ＡＳＴＭ Ｄ１２３８、１９０℃、２．１６ｋｇ荷重）は０．５〜５０、好ましくは１〜４５、さらに好ましくは２〜４０（ｇ／１０分）であり、密度（ＡＳＴＭＤ１５０５）が０．９６０（ｇ／ｃｍ３）未満、好ましくは０．８５０〜０．９３０（ｇ／ｃｍ３）である。さらに好ましいオレフィン系重合体（Ｂ−１）の例としては、密度が０．８５０〜０．９００（ｇ／ｃｍ３）であり、かつ示差走査熱量分析（ＤＳＣ）で求められる融点が９０℃未満または融点が観測されない非晶性であるエチレンと炭素数３〜１０までのα―オレフィンとを共重合することによって得られるランダム共重合体である。
上記エチレン・α−オレフィンランダム共重合体の製造法については特に制限はないが、チーグラー・ナッタ触媒、あるいはメタロセン触媒の存在下、エチレンとα−オレフィンとを共重合することによって製造することができる。
【００１４】
さらに、本発明においては、密度および／またはＭＦＲの異なる数種類のエチレン・α−オレフィンランダム重合体をブレンドした組成物で使用することもできる。
【００１５】
本発明において使用されるグラフト変性オレフィン系重合体（Ｂ）は上記オレフィン系重合体（Ｂ−１）を極性基を有するビニル化合物でグラフト変性することで得られる。極性基を有するビニル化合物としては、酸、酸無水物、エステル、アルコール、エポキシ、エーテル等の酸素を含有する極性基を有するビニル化合物、イソシアネート、アミド等の窒素を含有する極性基を有するビニル化合物、ビニルシラン等のケイ素を含有する極性基を有するビニル化合物を挙げることができる。
【００１６】
これらの中でも酸素を含有する極性基を有するビニル化合物が好ましく、不飽和エポキシ単量体、不飽和カルボン酸およびその誘導体が好ましい。
【００１７】
不飽和エポキシ単量体としては不飽和グリシジルエーテル、不飽和グリシジルエステル（例えばグリシジルメタクリレート）等が挙げられる。
【００１８】
不飽和カルボン酸の例としては、アクリル酸、マレイン酸、フマール酸、テトラヒドロフタル酸、イタコン酸、シトラコン酸、クロトン酸、イソクロトン酸およびナジック酸TM（エンドシス−ビシクロ［２，２，１］ヘプト−５−エン２，３−ジカルボン酸）などが挙げられる。
【００１９】
不飽和カルボン酸の誘導体としては、例えば上記不飽和カルボン酸の酸ハライド物、アミド化合物、イミド化合物、酸無水物、およびエステル化合物などを挙げることができる。具体的には塩化マレニル、マレイミド、無水マレイン酸、無水シトラコン酸、マレイン酸モノメチル、マレイン酸ジメチル、グリシジルマレエートなどが挙げられる。
【００２０】
これらの中で、不飽和カルボン酸またはその酸無水物が好適であり、特にマレイン酸、ナジック酸TMまたはこれらの酸無水物が好適であ。
【００２１】
グラフト変性オレフィン系重合体（Ｂ）は、従来公知の方法、例えば次のような方法を用いて製造することができる。
・  前記オレフィン系重合体（Ｂ−１）を押出機等で溶融させて不飽和カルボン酸等を添加してグラフト変性する方法。
・  前記オレフィン系重合体（Ｂ−１）を溶剤に溶解させて不飽和カルボン酸等を添加してグラフト変性する方法。
【００２２】
いずれの方法においても、上記不飽和カルボン酸等を効率良くグラフトさせるためにラジカル開始剤の存在下でグラフト反応を行うのが好ましい。
【００２３】
ラジカル開始剤としては有機ペルオキシド、アゾ化合物などが使用される。具体的には、ベンゾイルペルオキシド、ジクロルベンゾイルペルオキシド、ジクミルペルオキシド、ジ−tert−ブチルペルオキシド、２，５−ジメチル−２，５−ジ（tert−ブチルペルオキシ）ヘキシン−３、２，５−ジメチル−２，５−ジ（tert−ブチルペルオキシ）ヘキサン、１，４−ビス（tert−ブチルペルオキシイソプロピル）ベンゼンなどの有機ペルオキシド、アゾビスイソブチルニトリル、ジメチルアゾイソブチレート等のアゾ化合物などが挙げられる。
【００２４】
これらのラジカル開始剤は、オレフィン系重合体（Ｂ−１）１００重量部に対して、通常０．００１〜１重量部、好ましくは０．００３〜０．５重量部、さらに好ましくは０．０５〜０．３重量部添加して用いられる。
【００２５】
上記のようなラジカル開始剤の存在下または非存在下にてグラフト反応させる際の反応温度は、通常６０〜３５０℃、好ましくは１５０〜３００℃の範囲に設定される。
【００２６】
なお、上記オレフィン重合体（Ｂ−１）にグラフトされる不飽和カルボン酸またはその誘導体のグラフト位置に制限はなく、グラフト変性オレフィン系重合体を構成するオレフィン系重合体の任意の炭素原子に不飽和カルボン酸またはその誘導体が結合していればよい。
【００２７】
グラフト変性量としては、０．０１〜２０重量％、好ましくは０．０５〜１０重量％、さらに好ましくは０．１〜７重量％である。
【００２８】
ブテン系重合体（Ｃ）
本発明の樹脂組成物において使用されるブテン系重合体（Ｂ）としては、１−ブテン単独重合体、あるいは１−ブテンと１−ブテンを除く炭素数２〜２０、好ましくは２〜１０のα−オレフィンとの共重合体である。α−オレフィンの具体例としては、エチレン、プロピレン、１−ヘキセン、４−メチル−１−ペンテン、１−オクテン、１−デセン、１−ドデセンが挙げられ、好ましくはエチレン、プロピレンである。ブテン系重合体中の１−ブテン含有量としては、６０〜１００、好ましくは７０〜１００（モル％）である。
【００２９】
ブテン系重合体の密度は、０．８８０〜０．９２５、好ましくは０．８８５〜０．９２０（ｇ／ｃｍ３）である。この密度範囲にあると、粘着性が小さいことから、フィルムから容器を製造する際に、ロール等の装置へのフィルムの付着が少なく、高い充填速度で内容物を充填することが可能である。
【００３０】
また、ＭＦＲ（１９０℃）は０．０１〜１０、好ましくは０．０５〜８、より好ましくは０．１〜７（ｇ／１０分）の範囲にある。この範囲内にあると、成形機のモーターに過大な負荷を与えることなく、高い成形スピードでフィルムを成形することができる。
【００３１】
このようなブテン系重合体は、特公昭６４−７０８８号公報、特開昭５９−２０６４１５号公報、特開昭５９−２０６４１６号公報、特開平４−２１８５０８号公報、特開平４−２１８６０７号公報、特開平８−２２５６０５号公報等に記載された、立体規則性触媒を用いた重合方法で製造することが出来る。本発明において使用されるブテン系重合体は、１種類であっても、２種類以上を組み合わせて使用してもよい。
樹脂組成物
本発明の樹脂組成物は、エチレン系重合体（Ａ）とグラフト変性オレフィン系重合体（Ｂ）およびブテン系重合体（Ｃ）からなり、その混合割合は、（Ａ）が１０〜６０、好ましくは１５〜５５重量％、（Ｂ）が１〜６０、好ましくは３〜５０重量％、（Ｃ）が１０〜７０、好ましくは２０〜６０重量％の範囲にある。ここで、（Ａ）、（Ｂ）および（Ｃ）の合計量は１００重量％である。各成分の割合がこの範囲内にあると、その組成物から得られるフィルムは、シール強度とイージーピール性とのバランスに優れており、実用上好適な易開封性容器が得られる。
【００３２】
本発明の樹脂組成物の特徴として、ある特定の性質を持つグラフト変性オレフィン系重合体を、樹脂組成物の構成成分として使用することにある。前記のようなグラフト変性オレフィン系重合体を使用することで、低いシール温度でも、シール強度とイージーピール性とのバランスに優れたフィルムとなる。さらには、従来よりも低いシール強度でも糸引きの発生が無く、良好なイージーピール性が発現する。またグラフト変性オレフィン系重合体の量により、最適シール温度を制御することが可能なため、多様な特性をもつ易開封容器に対応できる。
【００３３】
本発明においては、本発明の樹脂組成物としての性能を損なわない範囲で、必要に応じて酸化防止剤、耐熱安定剤、耐候安定剤、スリップ剤、アンチブロッキング剤、結晶核剤等の添加物を含んでいてもよい。
【００３４】
また、前記各成分および必要に応じて各種添加剤を、例えばヘンシェルミキサー、バンバリーミキサー、タンブラーミキサー等の混合機でブレンドした後、一軸ないしは二軸の押出機を用いてペレット状として後述のフィルム成形に使用することも可能であるが、前記成分をブレンドした状態でフィルム成形機に供することも可能である。
シーラントフィルム
本発明の樹脂組成物からフィルム成形することによって、イージーピール性を必要とする包装材のシーラントフィルムを製造することができる。フィルムの成形は、キャスト成形法であってもインフレーション成形法であってもよく、通常樹脂温度１８０〜２４０℃の条件で均一膜厚の良好なフィルムを製造することができる。フィルムの厚みは、通常３〜１００μｍ、好ましくは５〜８０μｍの範囲である。
積層体フィルム
前記シーラントフィルムは、それ単独で使用することも可能であるが、基材フィルムに積層した積層体フィルムの構成で、一般に包装フィルムまたは包装シートとして使用される。
【００３５】
基材フィルムとしては、特に限定されるものではないが、ポリエチレンやポリプロピレン等のポリオレフィンフィルム、スチレン系樹脂のフィルム、ポリエチレンテレフタレートやポリブチレンテレフタレート等のポリエステルのフィルム、ナイロン６やナイロン６，６のようなポリアミドのフィルム、またはこれらの延伸フィルム、ポリオレフィンフィルムとポリアミドフィルムやエチレン−ビニルアルコール共重合体フィルムのようなガスバリヤー性のある樹脂フィルムとの積層フィルム、アルミニウム等の金属箔、あるいはアルミニウムやシリカ等を蒸着させた蒸着フィルムや紙等が、包装材の使用目的に応じて適宜選択使用される。この基材フィルムは、１種類のみならず、２種類以上を組み合わせて使用することもできる。
【００３６】
シーラントフィルム層は、積層体フィルムの少なくとも一方の最外層に位置するので、その製造にあたり、基材フィルム上に前記本発明の樹脂組成物を直接押出ラミネーションしたり、基材フィルムとシーラントフィルムとをドライラミネーションしたり、あるいは両層を構成する樹脂を共押出する方法を採用することができる。
【００３７】
積層体フィルムの一実施態様として、シーラントフィルム層／ポリオレフィンフィルム層／他のフィルム層の構成を挙げることができる。ここで、他のフィルム層としては、前記したポリスチレンフィルム、ポリエステルフィルム、ポリアミドフィルム、ポリオレフィンフィルムとガスバリヤー性樹脂フィルムとの積層フィルム、アルミニウム箔、蒸着フィルム、および紙からなる群から選ばれる層を挙げることができる。
【００３８】
ポリオレフィン層と他のフィルム層とが充分な接着強度で接合できない場合には、シーラントフィルム層／ポリオレフィンフィルム層／接着層／他のフィルム層の構成にすることができる。接着層としては、ウレタン系やイソシアネート系接着剤のようなアンカーコート剤を用いたり、不飽和カルボン酸グラフトポリオレフィンのような変性ポリオレフィンを接着性樹脂として用いると、隣接層を強固に接合することができる。
【００３９】
容器
前記した積層体フィルムのシーラントフィルム層同士を向かい合わせ、あるいは積層体フィルムのシーラントフィルム層と他のフィルムとを向かい合わせ、その後、外表面側から所望容器形状になるようにその周囲の少なくとも一部をヒートシールすることによって、容器を製造することができる。また周囲を全てヒートシールすることにより、密封された袋状容器を製造することができる。この袋状容器の成形加工を内容物の充填工程と組み合わせると、すなわち、袋状容器の底部および側部をヒートシールした後内容物を充填し、次いで上部をヒートシールすることで包装体を製造することができる。従って、この積層体フィルムは、スナック菓子等の固形物、粉体、あるいは液体材料の自動包装装置に利用することができる。
【００４０】
また、積層体フィルムないしシートを、または他のフィルムないしシートを予め真空成形や圧空成形等によりカップ状に成形した容器、射出成形等で得られた容器、あるいは紙基材から形成された容器等に内容物を充填し、その後本発明の積層体フィルムを蓋材として被覆し、容器上部ないし側部をヒートシールすることにより、内容物を包装した容器が得られる。この容器は、即席麺、味噌、ゼリー、プリン、スナック菓子等の包装に好適に利用される。
【００４１】
次に実施例によって本発明を説明するが、本発明はこれに限定されるものではない。
[実施例１]
【００４２】
スクリュー系６５ｍｍφの押出機を兼ね備えたダイ幅５００ｍｍの押出ラミネーション装置を使用し、層構成がＰＥＴ／ＬＤＰＥ（１２μｍ／３０μｍ）からなる積層体のＬＤＰＥ層側に、以下に記載したシーラント樹脂組成物を樹脂温度２６０℃、引取り速度８０ｍ／ｍｉｎの条件で、シーラント厚みが２０μｍとなる様、押出ラミネーションすることによってＰＥＴ／ＬＤＰＥ／シーラント（１２μｍ／３０μｍ／２０μｍ）の層構成からなるフィルムを作成した。得られたフィルムのヒートシール強度、イージーピール性および糸引き性を以下の方法で評価した。結果を表１に示す。
シーラント樹脂組成物 ： 高圧法ポリエチレン（０．９１７ｇ／ｃｍ３、ＭＦＲ（１９０℃）７．２ｇ／１０分、ＭＴ  ２８ｍＮ）３０重量％、無水マレイン酸グラフト変性エチレン・１−ブテン共重合体（ＭＥＢＲ−１、密度０．８９６ｇ／ｃｍ３、ＭＦＲ（１９０℃）１１ｇ／１０分、１−ブテン含量１１モル％、融点８２℃、無水マレイン酸グラフト変性量０．７５重量％）３０重量％、およびブテン系重合体成分として１−ブテン重合体（ＰＢ−１、密度０．９０７ｇ／ｃｍ３、ＭＦＲ（１９０℃）０．２ｇ／１０分、１−ブテン１００モル％）４０重量％からなる組成物。
（１）ヒートシール強度：１５ｍｍの短冊状試験片を２枚作成し、シール層同士を向かい合わせ、所定の温度で、圧力０．２ＭＰａ、シール時間１．０秒の条件でヒートシールを行った。その後、層間を１８０度方向に３００ｍｍ／分の速度で剥離させ、その時の剥離強度を測定し、その値をヒートシール強度（Ｎ／１５ｍｍ）とした。
（２）イージーピール性：ヒートシール強度測定後に、フィルムサンプルを観察し、フィルムが伸ばされたり、切れたりしていなかった場合を○とした。それに対し、フィルムが伸ばされたり、切れたりした場合を×とした。
（３）糸引き性：ヒートシール強度測定後のフィルムサンプルのシール面を観察し、シール面およびその周辺に糸状に樹脂が付着した場合を×とし、糸状樹脂が見られない場合を○とした。
【００４３】
[実施例２、比較例１]
【００４４】
シーラント層として用いた高圧法ポリエチレン、無水マレイン酸グラフト変性エチレン・１−ブテン共重合体および１−ブテン系重合体を表１記載の樹脂組成とした以外は、実施例１と同様にしてフィルムの評価を行った。結果を表１に示す。
【００４５】
【表１】
2005082736.tif 000002
【００４６】
表１に示した結果から明らかなように、本発明のフィルムは、ヒートシール性とイージーピール性のバランスに優れ、従来よりも低いシール強度領域でも糸引き性が良好であった。
【産業上の利用可能性】
【００４７】
本発明のシーラント用樹脂組成物は、それから得られるフィルムがヒートシール性とイージーピール性とのバランスに優れており、かつ、糸引きを発生させることなくより低いシール強度を達成できるため、食品包装用容器に好適に使用できる。